(57)【要約】【課題】複数の繊維機械に処理条件を設定する際の作業者の作業の手間を軽減すると共に、繊維機械が作業者の意図しない処理条件に設定されることを防止できる繊維機械、繊維機械システム及び繊維機械における設定値の更新方法を提供する。【解決手段】管理装置５０は、各種情報の入力を受け付けるタッチパネルディスプレイ５１と、タッチパネルディスプレイを介して受け付けた各種処理条件としての設定値を記憶する記憶部５７と、他の自動ワインダ１との通信を可能にする機台間通信部５３Ｃと、設定値を他の自動ワインダに送信するように機台間通信部を制御すると共に、設定値の入力が可能な状態になると、その旨を通知する情報である入力開始情報を他の自動ワインダに送信するように機台間通信部を制御する設定管理部５３Ａと、を備える。【選択図】図１
2016011468.tif 000002
【特許請求の範囲】
【請求項１】
少なくとも１つの繊維処理ユニットと、前記繊維処理ユニットを含む装置の動作を制御する管理装置と、を備えた繊維機械であって、
前記管理装置は、
各種情報の入力を受け付ける入力部と、
前記入力部を介して受け付けた各種処理条件としての設定値を記憶する記憶部と、
他の繊維機械との通信を可能にする機台間通信部と、
前記設定値を他の繊維機械に送信するように前記機台間通信部を制御すると共に、前記設定値の入力が可能な状態になると、その旨を通知する情報である入力開始情報を他の繊維機械に送信するように前記機台間通信部を制御する機台制御部と、
を備える、繊維機械。
【請求項２】
前記機台制御部は、前記入力部に入力された認証情報に基づいて特定ユーザであることを認証する認証部によって前記特定ユーザであることが認証されたとき、前記設定値の入力が可能な状態になったと判断する、請求項１に記載の繊維機械。
【請求項３】
前記機台制御部は、前記入力開始情報を受信した場合、前記設定値の入力を禁止する、請求項１又は２に記載の繊維機械。
【請求項４】
作業者に情報を報知する第１報知部を更に備え、
前記機台制御部は、前記設定値の入力を禁止した場合、その旨の情報である入力不可情報を前記第１報知部に報知させる、請求項３に記載の繊維機械。
【請求項５】
前記入力不可情報には、前記設定値の入力が可能な状態にある前記繊維機械の識別情報が含まれる、請求項４に記載の繊維機械。
【請求項６】
前記機台制御部は、前記機台間通信部を介して前記設定値を受信した場合、前記設定値を記憶部に記憶させる、請求項１〜５の何れか一項に記載の繊維機械。
【請求項７】
前記機台制御部は、前記設定値の入力が可能な状態が終了すると、その旨を通知する入力終了情報を前記他の繊維機械に送信するように前記機台間通信部を制御する、請求項１〜６の何れか一項に記載の繊維機械。
【請求項８】
前記機台制御部は、前記入力終了情報を受信した場合には、前記設定値の入力を禁止する状態を解除する、請求項７に記載の繊維機械。
【請求項９】
前記機台制御部は、前記入力開始情報を前記他の繊維機械に送信してから前記設定値の入力が可能な状態が終了するまでの間、前記設定値の入力が可能な状態が継続していることを通知する情報である継続情報を定期的に送信するように前記機台間通信部を制御する、請求項１〜８の何れか一項に記載の繊維機械。
【請求項１０】
前記機台制御部は、定期的に送信される前記継続情報の受信が途切れた場合、前記設定値の入力を禁止する状態を解除する、
請求項９に記載の繊維機械。
【請求項１１】
前記機台制御部は、入力された前記設定値又は前記機台間通信部を介して受信した前記設定値を、前記繊維処理ユニットに送信するか否かを判定する、請求項１〜１０の何れか一項に記載の繊維機械。
【請求項１２】
前記機台制御部は、前記設定値を前記他の繊維機械に送信する場合、前記他の繊維機械において前記設定値を反映させるか否かという反映可否の確認が必要な確認情報として送信するか否かを前記入力部から受け付け、前記確認情報として送信するか否かに基づいて送信する情報を変更する、請求項１〜１１の何れか一項に記載の繊維機械。
【請求項１３】
前記機台制御部は、前記機台間通信部を介して受信した前記設定値が前記確認情報として送信されてきたか否かに基づいて、前記設定値の取り扱いを変更する、
請求項１２に記載の繊維機械。
【請求項１４】
前記機台制御部は、前記機台間通信部を介して受信した前記設定値が前記確認情報として送信されてきた場合には、前記入力部において前記反映可否の入力がされるまで前記設定値を前記記憶部に記憶させることを保留し、前記設定値が前記確認情報として送信されてこなかった場合には、前記設定値を前記記憶部に記憶させる、請求項１２又は１３に記載の繊維機械。
【請求項１５】
前記機台制御部は、前記機台間通信部を介して前記設定値を受信した場合には、前記入力部において前記設定値を反映させるか否かという反映可否の入力がされるまで前記設定値を前記記憶部に記憶させることを保留し、前記入力部において反映する旨の入力がなされた場合には、前記設定値を前記記憶部に記憶させる、請求項１〜１２の何れか一項に記載の繊維機械。
【請求項１６】
作業者に情報を報知する第２報知部を更に備え、
前記機台制御部は、前記入力部において反映しない旨の入力がなされた場合には、その旨の情報である保留情報を前記第２報知部に報知させる、請求項１４又は１５に記載の繊維機械。
【請求項１７】
請求項１〜１６の何れか一項に記載の繊維機械を複数備え、
前記繊維機械同士が互いに通信可能に構成されている繊維機械システム。
【請求項１８】
少なくとも１つの繊維処理ユニットと、各種情報の入力を受け付ける入力部、入力部を介して受け付けた各種処理条件としての設定値を記憶する記憶部、及び他の繊維機械との通信を可能にする機台間通信部を有する管理装置と、を備えた繊維機械における前記設定値の更新方法であって、
前記管理装置が、前記設定値の入力が可能な状態になると、その旨を通知する情報である入力開始情報を他の繊維機械に送信するように前記機台間通信部を制御するステップと、
前記管理装置が、前記設定値を他の繊維機械に送信するように前記機台間通信部を制御するステップと、
を含んでいる、繊維機械における前記設定値の更新方法。
【請求項１９】
前記入力部に入力された認証情報に基づいて特定ユーザであることを認証する認証部によって前記特定ユーザであることが認証されたとき、前記管理装置が、前記設定値の入力が可能な状態になったと判断する、請求項１８に記載の更新方法。
【請求項２０】
前記管理装置が、前記機台間通信部を介して前記入力開始情報を受信した場合、前記設定値の入力を禁止するステップを更に含む、請求項１８又は１９に記載の更新方法。
【発明の詳細な説明】
【技術分野】
【０００１】
本発明は、繊維機械、繊維機械システム及び繊維機械における設定値の更新方法に関する。
【背景技術】
【０００２】
複数の繊維処理ユニットと、当該繊維処理ユニットの動作を制御する管理装置と、を備えた繊維機械が知られている。繊維機械の管理装置は、各繊維処理ユニットの現在の稼動状態のモニタを可能にすると共に、各種処理条件（糸処理条件）の設定をすることができる。通常、工場内ではこのような構成の繊維機械が多数台設置されている。複数の繊維機械に同じ処理条件で作動させたいとき又は処理条件を一括して変更したいときなどは、作業者がそれぞれの繊維機械のところまで行き、１台ずつ処理条件の設定又は設定の変更を行う。しかしながら、このような作業は、効率が悪く、作業者にとって負担となる。
【０００３】
そこで、このような問題を解決するための技術が開示されている。例えば、特許文献１には、繊維機械が備える制御装置同士が無線通信によって通信可能に構成されており、一の繊維機械の制御装置に設定された処理条件を、一の繊維機械の制御装置から複数の繊維機械の制御装置に送信することができる繊維機械システムが開示されている。
【０００４】
特許文献２には、繊維機械が備える制御装置同士が通信可能に構成されており、複数の繊維機械の繊維処理ユニットの処理条件を同時に表示することが可能な繊維機械システムが開示されている。この繊維機械システムによれば、一の繊維機械における処理条件を他の繊維機械にコピーしたい場合、一部又は全ての繊維機械を選択してコピーボタンを押下することで、選択された繊維機械に処理条件を送信することができる。
【０００５】
特許文献３には、繊維機械が備える制御装置同士が通信可能に構成されており、一の繊維機械の制御システムにおいて処理条件が入力されると、当該処理条件を他の繊維機械の制御装置に送信し、この処理条件を受信した他の繊維機械の制御装置は、当該処理条件に基づいて変更処理を行う糸処理条件設定システムが開示されている。
【先行技術文献】
【特許文献】
【０００６】
【特許文献１】特開２００９−２４２０２９号公報
【特許文献２】特開２０１３−６７８８４号公報
【特許文献３】特開２００４−３４５８４０号公報
【発明の概要】
【発明が解決しようとする課題】
【０００７】
しかしながら、特許文献１に記載の繊維機械システムは、一の繊維機械の制御装置から複数の繊維機械の制御装置に処理条件を送信する際に、送信先の指定に漏れがあると、一部の繊維機械が意図しない処理条件に設定されてしまうおそれがある。特許文献２に記載の繊維機械システムは、処理条件の送信先として全ての繊維機械を選択することにより、送信先の指定漏れを抑制することはできるが、処理条件の送信先として全ての繊維機械を選択し、実際に処理条件を送信するための操作に手間がかかる。特許文献３に記載の糸処理条件設定システムは、複数の繊維機械の制御システムにおいて同時又はほぼ同時に処理条件が変更された場合、複数の繊維機械間で衝突が発生するおそれがある。すなわち、一部又は全ての繊維機械において作業者が意図しない処理条件に設定されてしまうおそれがある。
【０００８】
そこで、本発明は、複数の繊維機械に処理条件を設定する際の作業者の作業の手間を軽減すると共に、繊維機械が作業者の意図しない処理条件に設定されることを防止できる繊維機械、繊維機械システム及び繊維機械における設定値の更新方法を提供することを目的とする。
【課題を解決するための手段】
【０００９】
本発明の繊維機械は、少なくとも１つの繊維処理ユニットと、繊維処理ユニットを含む装置の動作を制御する管理装置と、を備えた繊維機械であって、管理装置は、各種情報の入力を受け付ける入力部と、入力部を介して受け付けた各種処理条件としての各種設定値を記憶する記憶部と、他の繊維機械との通信を可能にする機台間通信部と、設定値を他の繊維機械に送信するように機台間通信部を制御すると共に、設定値の入力が可能な状態になると、その旨を通知する情報である入力開始情報を他の繊維機械に送信するように機台間通信部を制御する機台制御部と、を備える。
【００１０】
本発明の繊維機械における設定値の更新方法は、少なくとも１つの繊維処理ユニットと、各種情報の入力を受け付ける入力部、入力部を介して受け付けた各種処理条件としての設定値を記憶する記憶部、及び他の繊維機械との通信を可能にする機台間通信部を有する管理装置と、を備えた繊維機械における設定値の更新方法であって、管理装置が、設定値の入力が可能な状態になると、その旨を通知する情報である入力開始情報を他の繊維機械に送信するように機台間通信部を制御するステップと、管理装置が、設定値を他の繊維機械に送信するように機台間通信部を制御するステップと、を含んでいる。
【００１１】
ここでいう「設定値の記憶」は、新たな設定値を記憶する場合（新規登録）と、入力された設定値に基づいて、既に記憶されている設定値を変更して記憶する場合（更新）とを含む。
【００１２】
この構成の繊維機械では、入力部を介して受け付けた設定値に基づいて設定値が更新されると共に、自動的に（送信先を指定することなく）他の繊維機械に設定値が送信される。また、この構成の繊維機械では、例えば、入力開始情報を受信した他の繊維機械に対し、入力部を介した設定値の入力を禁止させたり、管理装置にログインさせなかったりすることができるので、複数の繊維機械間で衝突が発生することを防止できる。ここでいう「衝突」とは、同時又はほほ同時に複数の繊維機械から設定値が送信されることにより、一部又は全ての繊維機械が作業者の意図しない設定値に更新されてしまうことをいう。この結果、複数の繊維機械に処理条件を設定する際の作業者の作業の手間を軽減すると共に、繊維機械が作業者の意図しない処理条件に設定されることを防止できる。
【００１３】
機台制御部は、入力部に入力された認証情報に基づいて特定ユーザであることを認証する認証部によって特定ユーザであることが認証されたとき、設定値の入力が可能な状態になったと判断してもよい。
【００１４】
本発明の繊維機械における設定値の更新方法では、入力部に入力された認証情報に基づいて特定ユーザであることを認証する認証部によって特定ユーザであることが認証されたとき、管理装置が、設定値の入力が可能な状態になったと判断してもよい。
【００１５】
この構成の繊維機械では、認証部によって特定のユーザであることを認証された場合、すなわち、管理装置へのログインが許可された場合に、他の繊維機械における設定値の入力を禁止することができる。これにより、設定値が入力される前の早い段階で他の繊維機械における設定値の入力を禁止することができる。
【００１６】
機台制御部は、入力開始情報を受信した場合、設定値の入力を禁止してもよい。
【００１７】
本発明の繊維機械における設定値の更新方法では、管理装置が、機台間通信部を介して入力開始情報を受信した場合、設定値の入力を禁止するステップを更に含んでいてもよい。
【００１８】
この構成の繊維機械では、複数の繊維機械間で衝突が発生することを防止できる。これにより、任意の一の繊維機械から設定値を入力し、この入力した設定値を他の繊維機械に同期させることができる。
【００１９】
本発明の繊維機械は、作業者に情報を報知する第１報知部を更に備えてもよい。機台制御部は、設定値の入力を禁止した場合、その旨の情報である入力不可情報を第１報知部に報知させてもよい。
【００２０】
この構成の繊維機械では、入力部における設定値の入力を禁止している場合、常に報知部にその旨を報知させたり、作業者によって管理装置へのログインが試みられた際に、報知部にその旨を報知させたりすることができる。これにより、作業者は、入力部における設定値の入力が不可となっていることを知ることができる。
【００２１】
入力不可情報には、設定値の入力が可能な状態にある繊維機械の識別情報が含まれてもよい。
【００２２】
この構成の繊維機械によれば、作業者は、どの繊維機械が設定値を入力することが可能になっているかを容易に知ることができる。必要であれば、作業者は、設定値を入力することが可能になっている繊維機械のところまで移動することができる。
【００２３】
機台制御部は、機台間通信部を介して設定値を受信した場合、設定値を記憶部に記憶させてもよい。
【００２４】
この構成の繊維機械によれば、他の繊維機械から送信されてくる設定値を記憶することができるので、他の繊維機械が記憶する設定値と同期を図ることができる。
【００２５】
機台制御部は、設定値の入力が可能な状態が終了すると、その旨を通知する入力終了情報を他の繊維機械に送信するように機台間通信部を制御してもよい。
【００２６】
この構成の繊維機械によれば、入力部を介した設定値の入力が禁止されている繊維機械において、入力部において設定値の入力を禁止させる状態が解除されたことを知ることができる。
【００２７】
機台制御部は、入力終了情報を受信した場合には、設定値の入力を禁止する状態を解除してもよい。
【００２８】
この構成の繊維機械によれば、設定値の入力が可能となっている繊維機械において、その状態が終了した場合、直ちに他の繊維機械において設定値の入力が禁止となっている状態を解除することができる。
【００２９】
機台制御部は、入力開始情報を他の繊維機械に送信してから設定値の入力が可能な状態が終了するまでの間、設定値の入力が可能な状態が継続していることを通知する情報である継続情報を定期的に送信するように機台間通信部を制御してもよい。
【００３０】
この構成の繊維機械によれば、設定値の入力が可能となっている繊維機械がその旨の情報を定期的に他の繊維機械に送信するので、設定値の入力が可能となっているという情報の正確性を高めることができる。
【００３１】
機台制御部は、定期的に送信される継続情報の受信が途切れた場合、設定値の入力を禁止する状態を解除してもよい。
【００３２】
例えば、設定値の入力が可能な状態が解除になった場合に入力終了情報を送信する仕様の繊維機械では、意図せずに電源がＯＦＦになると入力終了情報を送信することができない。この場合、他の繊維機械では、いつまでたっても設定値の入力が禁止となっている状態を解除することができない。この構成の繊維機械によれば、他の繊維機械は、定期的に送信されてこなくなったことを利用して、直ちに設定値の入力が禁止となっている状態を解除することができる。
【００３３】
機台制御部は、入力された設定値又は機台間通信部を介して受信した設定値を、繊維処理ユニットに送信するか否かを判定してもよい。
【００３４】
この構成の繊維機械によれば、適切なタイミングで繊維処理ユニットに記憶されている設定情報を更新することができる。
【００３５】
機台制御部は、設定値を他の繊維機械に送信する場合、他の繊維機械において設定値を反映させるか否かという反映保留可否の確認が必要な確認情報として送信するか否かを入力部から受け付け、確認情報として送信するか否かに基づいて送信する情報を変更してもよい。
【００３６】
この構成の繊維機械によれば、他の繊維機械において、一の繊維機械から送信されてくる設定値を反映するか否かを、作業者が確認して決定できる機会を設けさせることができる。
【００３７】
機台制御部は、機台間通信部を介して受信した設定値が確認情報として送信されてきたか否かに基づいて、設定値の取り扱いを変更してもよい。
【００３８】
この構成の繊維機械によれば、設定値が確認情報として送信されてきたか否かに基づいて、例えば、直ちにその設定値を繊維機械に反映させたり、作業者に繊維機械への反映可否を問い合わせたりするなど、場合に応じた適切な処理が可能になる。
【００３９】
機台制御部は、機台間通信部を介して受信した設定値が確認情報として送信されてきた場合には、入力部において反映保留可否の入力がされるまで設定値を記憶部に記憶させることを保留し、設定値が確認情報として送信されてこなかった場合には、設定値を記憶部に記憶させてもよい。
【００４０】
この構成の繊維機械によれば、他の繊維機械から送信されてくる情報に基づいて適切な処理が可能になる。
【００４１】
機台制御部は、機台間通信部を介して設定値を受信した場合には、入力部において設定値を反映させるか否かという反映可否の入力がされるまで設定値を記憶部に記憶させることを保留し、入力部において反映する旨の入力がなされた場合には、設定値を記憶部に記憶させてもよい。
【００４２】
この構成の繊維機械によれば、設定値を受信した場合には、反映可否の入力がなされるまで設定値を記憶部に記憶させることが確実に保留される。これにより、作業者が機台の状況を確認した上で設定値の変更がなされるようになる。
【００４３】
本発明の繊維機械は、作業者に情報を報知する第２報知部を更に備えてもよい。機台制御部は、入力部において反映しない旨の入力がなされた場合には、その旨の情報である保留情報を第２報知部に報知させてもよい。
【００４４】
この構成の繊維機械によれば、作業者は、受信した設定値が繊維機械に反映されることなく反映が保留されていることを知ることができる。これにより、作業者は、繊維機械の状況を見ながら、反映させる指示をすることができる。
【発明の効果】
【００４５】
本発明によれば、複数の繊維機械に各種処理条件を設定する際の作業者の作業の手間を軽減すると共に、繊維機械が作業者の意図しない処理条件に設定されることを防止できる。
【図面の簡単な説明】
【００４６】
【図１】一実施形態に係る自動ワインダのブロック図である。
【図２】一実施形態に係る自動ワインダシステムの構成図である。
【図３】記憶部に記憶される設定値の一例を示した図である。
【図４】ログイン後の一の自動ワインダと他の自動ワインダとの関係を示すシーケンス図である。
【図５】ログイン後の一の自動ワインダと他の自動ワインダとの関係を示すシーケンス図である。
【図６】設定値受付後の処理を示したフローチャートである。
【図７】設定値受信後の処理を示したフローチャートである。
【図８】割付ロット及びメモリロットを説明する説明図である。
【図９】変形例１に係る自動ワインダにおける設定値受付後の処理を示したフローチャートである。
【図１０】変形例１に係る自動ワインダにおける設定値受信後の処理を示したフローチャートである。
【図１１】変形例３における設定値の同期方法を説明する説明図である。
【図１２】変形例３における設定値の同期方法を説明する説明図である。
【発明を実施するための形態】
【００４７】
以下、図面を参照して一実施形態に係る自動ワインダ（繊維機械）１を備える自動ワインダシステム（繊維機械システム）９０について説明する。図面の説明において、同一要素には同一符号を付し、重複する説明を省略する。図面の寸法比率は、必ずしも一致していない。
【００４８】
図２に示すように、自動ワインダシステム９０は、６台（複数）の自動ワインダ１（図１参照）が通信可能に接続されている。６台の自動ワインダ１間における接続は、有線であっても無線であってもよい。図１に示すように、自動ワインダ１は、複数の巻取ユニット（繊維処理ユニット）１０と、玉揚装置（繊維処理ユニット）３０と、給糸ボビン供給装置（繊維処理ユニット）４０と、管理装置５０と、を備えている。
【００４９】
巻取ユニット１０は、機台長手方向に沿って一列に並設されている。巻取ユニット１０は、給糸ボビン１１から解舒された糸Ｙを綾振ドラム１３によって綾振りしながらボビンに巻き取ることにより、パッケージＰを形成させる。巻取ユニット１０は、走行する糸Ｙの太さなどを監視する糸監視装置１５及び切れた糸を継ぎ合わせる糸継装置１７を有している。巻取ユニット１０は、糸監視装置１５によって糸Ｙの欠陥が検出されたとき、糸Ｙの巻き取りを中断して糸Ｙが切断される。欠陥部分が除去された糸は、糸継装置１７によって糸端が継ぎ合わされる。巻取ユニット１０は、糸端が継ぎ合わされた糸の巻き取りを再開する。
【００５０】
巻取ユニット１０は、ユニットコントローラ１９をそれぞれ備えている。ユニットコントローラ１９は、巻取ユニット１０における各種制御処理を実行する。ユニットコントローラ１９は、管理装置５０に含まれる機台内通信部５３Ｂを介して設定管理部（機台制御部）５３Ａと通信可能に設けられている。ユニットコントローラ１９は、ＣＰＵ（Central Processing Unit）と、ＲＯＭ（Read OnlyMemory）、ＲＡＭ（Random Access Memory）、及びハードディスクなどの記憶部とで構成される。なお、ユニットコントローラ１９は、電子回路などによるハードウェアとして構成されてもよい。
【００５１】
ユニットコントローラ１９は、糸処理条件に関連した設定値が複数の項目にわたり設定されるロット設定値情報Ｔ２（図３参照）を、記憶部に記憶している。ユニットコントローラ１９は、このロット設定値情報Ｔ２として記憶されている各項目の設定値に基づいて、巻取ユニット１０を運転させる。ユニットコントローラ１９が記憶するロット設定値情報Ｔ２は、後述する機台コントローラ５３によって更新される。
【００５２】
玉揚装置３０は、巻取ユニット１０の並設方向に沿って移動可能に構成されている。玉揚装置３０は、各巻取ユニット１０においてパッケージＰが満巻となった際に、当該巻取ユニット１０の位置まで走行し、満巻パッケージＰを回収すると共に、空ボビンを供給する。玉揚装置３０は、玉揚制御コントローラ３１を有している。玉揚制御コントローラ３１は、管理装置５０に含まれる機台内通信部５３Ｂを介して設定管理部５３Ａと通信可能に設けられている。玉揚制御コントローラ３１は、ユニットコントローラ１９と同様、ＣＰＵと、ＲＯＭ、ＲＡＭ、及びハードディスクなどの記憶部とで構成される。
【００５３】
玉揚制御コントローラ３１は、玉揚処理条件に関連した設定値が複数の項目にわたり設定される玉揚台車用設定値情報を、記憶部に記憶している。玉揚制御コントローラ３１は、この玉揚台車用設定値情報として記憶されている各項目の設定値に基づいて、玉揚装置３０を運転させる。玉揚制御コントローラ３１が記憶する玉揚台車用設定値情報は、後述する機台コントローラ５３によって更新される。
【００５４】
給糸ボビン供給装置４０は、各巻取ユニット１０に対し、給糸ボビン１１を図略の供給経路に沿って搬送して供給する。給糸ボビン供給装置４０は、供給制御コントローラ４１を有している。供給制御コントローラ４１は、管理装置５０に含まれる機台内通信部５３Ｂを介して設定管理部５３Ａと通信可能に設けられている。供給制御コントローラ４１は、ユニットコントローラ１９と同様、ＣＰＵと、ＲＯＭ、ＲＡＭ、及びハードディスクなどの記憶部とで構成される。
【００５５】
供給制御コントローラ４１は、供給処理条件に関連した設定値が複数の項目にわたり設定される供給装置用設定値情報を、記憶部に記憶している。供給制御コントローラ４１は、この供給装置用設定値情報として記憶されている各項目の設定値に基づいて、給糸ボビン供給装置４０を運転させる。供給制御コントローラ４１が記憶する供給装置用設定値情報は、後述する機台コントローラ５３によって更新される。
【００５６】
管理装置５０は、巻取ユニット１０を含む装置（自動ワインダ１に設けられている各種装置）の動作を制御する。管理装置５０は、タッチパネルディスプレイ（入力部，第１報知部，第２報知部）５１と、記憶部５７と、機台コントローラ５３と、本体コントローラ５５と、を有している。
【００５７】
タッチパネルディスプレイ５１は、作業者に対して各種情報を提供すると共に、作業者から各種情報を受け付けることが可能である。本実施形態においては、入力部及び報知部としてタッチパネルディスプレイ５１を採用しているが、タッチパネルディスプレイ５１の代わりに、報知部としてのモニタと、入力部としてのキー（入力ボタン）とを有していてもよい。タッチパネルディスプレイ５１には、後段にて詳述する設定管理部５３Ａの制御により、タッチパネルディスプレイ５１において設定値の入力が禁止されている場合には、その旨の情報である入力不可情報が表示（報知）される。
【００５８】
記憶部５７は、自動ワインダ１を運転及び管理するための様々な設定値を各種設定値情報Ｔ１として記憶している。各種設定値情報Ｔ１には、例えば、図３に示すように、ロット設定値情報Ｔ２、本体用設定値情報、玉揚台車用設定値情報、及び設定管理部用設定値情報などが含まれる。本体用設定値情報には、例えば、ブロワスピードを設定するための設定値を含む。玉揚台車用設定値情報は、例えば、玉揚台車の走行スピードを設定するための設定値を含む。設定管理用設定値情報は、タッチパネルディスプレイ５１に表示する内容及びレポートとして出力する内容を決定するための設定値を含む。
【００５９】
ロット設定値情報Ｔ２は、各巻取ユニット１０の運転内容を決定するために設定される複数の設定値を含んでおり、図３に示すように、複数の項目から構成される。項目の例は、番手、糸種、糸速及びパッケージ重量などである。これら複数の項目からなる一つの群は、「ロット」と呼ばれる。記憶部５７は、製品の仕様及び／又は運転環境に応じて項目のそれぞれが最適な値に設定された「ロット」を複数記憶している。
【００６０】
図１に示す記憶部５７は、後述する機台間通信部（認証部）５３Ｃにおける認証処理に必要な情報も記憶している。例えば、記憶部５７は、ユーザ名とパスワードと権限内容とが関連付けられた認証情報を記憶している。
【００６１】
本体コントローラ５５は、自動ワインダ１に設けられている装置のうち、主に各巻取ユニット１０に共通して設けられている装置を制御する。本体コントローラ５５によって制御される装置としては、ブロワ、玉揚装置３０によって玉揚されたパッケージＰを機台端部にまで搬送するコンベア装置などがある。本体コントローラ５５は、機台内通信部５３Ｂを介して設定管理部５３Ａと通信可能に設けられている。本体コントローラ５５は、ユニットコントローラ１９と同様、ＣＰＵと、ＲＯＭ、ＲＡＭ、及びハードディスクなどの記憶部とで構成される。
【００６２】
本体コントローラ５５は、ブロワ処理条件に関連した設定値が複数の項目にわたり設定される本体用設定値情報を、記憶部に記憶している。本体コントローラ５５は、この本体用設定値情報として記憶されている各項目の設定値に基づいて、ブロワなどを運転させる。本体コントローラ５５が記憶する本体用設定値情報は、後述する機台コントローラ５３によって更新される。
【００６３】
機台コントローラ５３は、自動ワインダ１の運転条件の設定、及び、機台効率や糸品質管理などの生産状況を監視する。機台コントローラ５３は、設定管理部５３Ａと、機台内通信部５３Ｂと、機台間通信部５３Ｃと、を有している。
【００６４】
設定管理部５３Ａは、タッチパネルディスプレイ５１を介して設定値の入力が可能な状態になると、その旨を通知する情報である入力開始情報を他の自動ワインダ１に送信するように機台間通信部５３Ｃを制御する。設定管理部５３Ａは、タッチパネルディスプレイ５１を介して受け付けた設定値に基づいて記憶部５７に記憶された設定値情報Ｔ１（図３参照）を更新すると共に、この設定値を他の自動ワインダ１に送信するように機台間通信部５３Ｃを制御する。
【００６５】
ここでいう「設定値の入力が可能な状態になる」とは、タッチパネルディスプレイ５１に入力された認証情報に基づいて特定ユーザであることを機台間通信部５３Ｃによって認証されたときをいう。すなわち、機台間通信部５３Ｃによって認証され、管理装置５０へログインした状態となった時である。なお、機台間通信部５３Ｃにおける認証処理については、後段にて詳述する。
【００６６】
設定管理部５３Ａは、機台間通信部５３Ｃを介して、他の自動ワインダ１から入力開始情報を受信した場合、タッチパネルディスプレイ５１における設定値の入力を禁止させる。設定管理部５３Ａは、タッチパネルディスプレイ５１における設定値の入力を禁止した場合、現在、設定値の入力ができないことを示すメッセージ（入力不可情報）をタッチパネルディスプレイ５１に表示させる。このメッセージには、設定値の入力が可能な状態になっている他の自動ワインダ１の識別情報が含まれていてもよい。言い換えれば、現時点で設定値の編集（入力）が行われている自動ワインダ１の識別情報が含まれていてもよい。これにより、作業者は、どの自動ワインダ１で設定値を入力されているかを容易に知ることができる。
【００６７】
設定管理部５３Ａは、設定値の入力が可能な状態が終了すると、その旨を通知する入力終了情報を他の自動ワインダ１に送信するように機台間通信部５３Ｃを制御する。言い換えれば、設定管理部５３Ａは、管理装置５０からログアウトした状態になると、入力終了情報を他の自動ワインダ１に送信するように機台間通信部５３Ｃを制御する。設定管理部５３Ａは、機台間通信部５３Ｃを介して入力終了情報を受信した場合、設定値の入力を禁止する状態を解除する。
【００６８】
本実施形態の自動ワインダ１では設定管理部５３Ａは、他の自動ワインダ１に入力開始情報を送信してから設定値の入力が可能な状態が終了するまでの間（管理装置５０にログインした状態）、設定値の入力が可能な状態が継続していることを通知する情報である継続情報を定期的に送信するように機台間通信部５３Ｃを制御する。この点について、図４及び図５を用いて具体的に説明する。
【００６９】
図４に示すように、設定管理部５３Ａは、タッチパネルディスプレイ５１を介して入力されるユーザ名とパスワードとを機台間通信部５３Ｃに送信し、機台間通信部５３Ｃに対しログインの要求をする。機台間通信部５３Ｃは、ユーザ名とパスワードとの組合せが記憶部５７の認証情報に記憶されているか否かを確認する。機台間通信部５３Ｃは、当該組合せが認証情報として記憶されていることを確認すると、管理装置５０における操作を許可する状態（いわゆるログインの状態）とする。なお、機台間通信部５３Ｃは、ユーザ名に関連付けられている権限内容に応じて、許可する操作の内容を制限してもよい。このタイミングと同時に、設定管理部５３Ａは、設定値の編集を開始した旨の情報（入力開始情報）を他の自動ワインダ１に向けて送信するように機台間通信部５３Ｃを制御する。
【００７０】
設定管理部５３Ａは、管理装置５０へのログインを許可した後、ログアウトの要求がされるまでの間、設定値を編集中である旨の情報（継続情報）を所定間隔（定期的）で他の自動ワインダ１に向けて送信するように機台間通信部５３Ｃを制御する。タッチパネルディスプレイ５１を介してログアウトの要求が入力されると、設定管理部５３Ａは、その旨の情報を機台間通信部５３Ｃに送信し、機台間通信部５３Ｃに対しログアウトの要求をする。機台間通信部５３Ｃは、ログアウトの要求を受け付けると、管理装置５０における操作を禁止する状態（いわゆるログアウトの状態）とする。このタイミングと同時に、設定管理部５３Ａは、設定値の編集を終了した旨の情報（入力終了情報）を他の自動ワインダ１に向けて送信するように、機台間通信部５３Ｃを制御する。他の自動ワインダ１における設定管理部５３Ａは、入力終了情報を受信すると、設定値の入力を禁止させる状態を解除する。言い換えると、一の自動ワインダ１においてログアウトを行えば、他の自動ワインダ１では設定値の入力が可能な状態となる。
【００７１】
次に、一の自動ワインダ１においてログインが許可されている状態の時、他の自動ワインダ１においてログインが試みられたときの処理について説明する。図５に示すように、他の自動ワインダ１には、継続情報が定期的に送信されてくる。機台間通信部５３Ｃが定期的に継続情報を受信している間、機台間通信部５３Ｃは、設定管理部５３Ａからログインの要求があったとしても、その要求を受け付けない。すなわち、他の自動ワインダ１では、ログインすることができない。これにより、他の自動ワインダ１において設定値の入力をすることができない状態が維持される。
【００７２】
設定管理部５３Ａは、機台間通信部５３Ｃを介して定期的に送信されてくる継続情報の受信が途切れた場合、設定値の入力を禁止している状態を解除してもよい。すなわち、他の自動ワインダ１において、ログインの要求を受け付けることができる状態としてもよい。このような構成とすれば、一の自動ワインダ１において意図せずに電源がＯＦＦになったときでも、他の自動ワインダ１の設定管理部５３Ａは、定期的に継続情報が送信されてこなくなった事象を利用して、設定値の入力を禁止している状態を解除することができる。
【００７３】
図１に戻り、自動ワインダ１の構成の続きを説明する。機台内通信部５３Ｂは、設定管理部５３Ａと各巻取ユニット１０に備わるユニットコントローラ１９との通信、設定管理部５３Ａと玉揚装置３０に備わる玉揚制御コントローラ３１との通信及び設定管理部５３Ａと給糸ボビン供給装置４０に備わる供給制御コントローラ４１との通信を可能にする。また、機台内通信部５３Ｂは、各繊維処理ユニット（巻取ユニット１０、玉揚装置３０、給糸ボビン供給装置４０）から送信されてくる管理情報を集約したり、タッチパネルディスプレイ５１に入力された設定値の送信先を決定したりする。
【００７４】
機台間通信部５３Ｃは、機台コントローラ５３と、他の自動ワインダ１に含まれる機台コントローラ５３との通信を可能にする。また、機台間通信部５３Ｃは、上述したように、認証部としての機能を備えている。すなわち、機台間通信部５３Ｃは、管理装置５０において作業者が操作をするための権限を付与する。機台間通信部５３Ｃにおけるこのような権限の付与は、管理装置５０における全ての操作を対象としてもよいし、例えば、設定値の入力又は変更をする操作など、特定の操作を対象としてもよい。本実施形態の自動ワインダ１では、作業者が管理装置５０の操作をするためには、ログインをすることが求められる仕様となっている。
【００７５】
本実施形態の自動ワインダ１では、認証部としての機能を機台間通信部５３Ｃが備える例を挙げて説明したが、この構成に限定されない。例えば、認証部は、複数の自動ワインダ１の稼働状況を管理する上位コントローラとして構成されてもよいし、外部のサーバとして構成されてもよい。
【００７６】
次に、一の自動ワインダ１において設定値が更新されると、自動的に複数台の自動ワインダ１の設定値も更新される手順について、主に図６及び７を参照して説明する。ここでいう「自動的に」とは、例えば、コピー先の指定など、作業者が特別な操作を必要としないことを意味する。まず、設定値が入力される一の自動ワインダ１（送信側の自動ワインダ）から説明する。
【００７７】
図６に示すように、設定管理部５３Ａは、タッチパネルディスプレイ５１を介して設定値を受け付ける（ステップＳ１１）。次に、設定管理部５３Ａは、タッチパネルディスプレイ５１を介して入力された設定値に基づいて、記憶部５７に記憶された設定値情報Ｔ１を更新する（ステップＳ１２）。次に、設定管理部５３Ａは、入力された設定値が機台内に送信すべき設定値であるか否かを判定する（ステップＳ１３）。機台内に設定値を送信するとは、各繊維処理ユニット（巻取ユニット１０、玉揚装置３０、給糸ボビン供給装置４０）が備えるコントローラ（ユニットコントローラ１９、玉揚制御コントローラ３１、供給制御コントローラ４１）に設定値を送信することをいう。
【００７８】
本実施形態の自動ワインダ１及び自動ワインダシステム９０では、この「入力された設定値が機台内に送信すべき設定値であるか否かを判定」を実施する点に一つの特徴がある。「機台内に送信すべき設定値」には、割付ロットに該当するロット設定値情報Ｔ２と、本体用設定値情報と、玉揚台車用設定値情報とが含まれる。「機台内に送信すべきでない設定値」には、メモリロットに該当するロット設定値情報Ｔ２と、設定管理部用設定値情報とが含まれる。以下、割付ロット及びメモリロットについて説明する。
【００７９】
ロット設定値情報Ｔ２は、複数の項目の設定値の組合せから構成され、その組合せごとに名称が付与されている（ロット１、ロット２、・・・、ロットＮ）。これらのロット設定値情報Ｔ２の中には、割付ロットに該当するロット設定値情報Ｔ２と、メモリロットに該当するロット設定値情報Ｔ２とがある。割付ロットとは、巻取ユニット１０において現在使用中のロットをいう。すなわち、割付ロットに該当するロット設定値情報Ｔ２は、各巻取ユニット１０のユニットコントローラ１９の記憶部に記憶されている。巻取ユニット１０は、この割付ロットに該当するロット設定値情報Ｔ２に従って運転がなされている。メモリロットとは、巻取ユニット１０において現在使用されていないが、管理装置５０の記憶部５７に記憶されているロットをいう。メモリロットに該当するロット設定値情報Ｔ２は、設定管理部５３Ａによって、使用するタイミングでユニットコントローラ１９に送信される。
【００８０】
例えば、図８（Ａ）に示すように、全ての各巻取ユニット１０においてロット３なるロット設定値情報Ｔ２が使用されている場合には、ロット３が割付ロットとなり、それ以外のロットがメモリロットとなる。また、図８（Ｂ）に示すように、巻取ユニット１０において、ロット１、ロット２及びロット３が使用されている場合には、ロット１〜３が割付ロットとなり、それ以外のロットがメモリロットとなる。以下、ロット設定値情報Ｔ２を更新する設定値が入力されたと仮定して説明する。
【００８１】
設定管理部５３Ａは、入力された情報が割付ロットを更新する設定値であると判定した場合には（ステップＳ１３：ＹＥＳ）、ユニットコントローラ１９に当該設定値を送信するように機台内通信部５３Ｂを制御する（ステップＳ１４）。これにより、ユニットコントローラ１９の記憶部に記憶される設定値情報が更新される（ステップＳ１５）。次に、設定管理部５３Ａは、入力された設定値を他の自動ワインダ１へ送信するように機台間通信部５３Ｃを制御する（ステップＳ１６）。
【００８２】
また、設定管理部５３Ａは、入力された情報がメモリロットを更新する設定値であると判定した場合には（ステップＳ１３：ＮＯ）には、ユニットコントローラ１９に当該設定値を送信することなく、設定管理部５３Ａは、入力された設定値を他の自動ワインダ１へ送信するように機台間通信部５３Ｃを制御する（ステップＳ１６）。
【００８３】
次に、一の自動ワインダ１から送信されてきた設定値を受信する他の自動ワインダ１（受信側の自動ワインダ１）について説明する。図７に示すように、まず、設定管理部５３Ａは、機台間通信部５３Ｃを介して設定値を受信する（ステップＳ２１）。次に、設定管理部５３Ａは、受信した設定値に基づいて、記憶部５７に記憶された設定値情報を更新する（ステップＳ２２）。次に、設定管理部５３Ａは、受信した設定値が機台内に送信すべき設定値であるか否かを判定する（ステップＳ２３）。
【００８４】
受信した情報が割付ロットを更新する設定値であると判定した場合には（ステップＳ２３：ＹＥＳ）、ユニットコントローラ１９に当該設定値を送信するように機台内通信部５３Ｂを制御する（ステップＳ２４）。これにより、ユニットコントローラ１９の記憶部に記憶されている設定値情報が更新される（ステップＳ２５）。これにより、一連の更新処理が終了する。
【００８５】
また、設定管理部５３Ａは、受信した情報がメモリロットを更新する設定値であると判定した場合には（ステップＳ２３：ＮＯ）には、ユニットコントローラ１９に当該設定値を送信することなく、一連の処理を終了する。
【００８６】
上記実施形態の自動ワインダ１及びこの自動ワインダ１を備える自動ワインダシステム９０の作用効果について説明する。
【００８７】
この構成の自動ワインダ１及び自動ワインダシステム９０では、タッチパネルディスプレイ５１を介して受け付けた設定値に基づいて設定値情報Ｔ１（図３参照）が更新されると共に、自動的に他の自動ワインダ１に設定値が送信される。また、この構成の自動ワインダ１及び自動ワインダシステム９０では、入力開始情報を受信した他の自動ワインダ１は、タッチパネルディスプレイ５１を介した設定値の入力を禁止するので、複数の自動ワインダ１間で衝突が発生することを防止できる。この結果、複数の自動ワインダ１に各種設定値（処理条件）を設定する際の作業者の作業の手間を軽減すると共に、一部又は全ての自動ワインダ１が作業者の意図しない設定値（処理条件）に設定されることを防止できる。
【００８８】
この構成の自動ワインダ１及び自動ワインダシステム９０では、機台間通信部５３Ｃによって特定のユーザであることが認証された場合、すなわち、管理装置５０へのログインが許可された場合に、他の自動ワインダ１における設定値の入力を禁止している。これにより、設定値が入力される前の早い段階で他の自動ワインダ１における設定値の入力を禁止することができる。
【００８９】
この構成の自動ワインダ１及び自動ワインダシステム９０では、入力された設定値又は受信した設定値について、機台内に送信すべき設定値であるか否かを判定しているので、適切なタイミングで、ユニットコントローラ１９に記憶された設定値情報を更新することができる。
【００９０】
このような自動ワインダシステム９０では、複数の機台コントローラ５３を管理する工場管理システムが設けられている場合がある。しかしながら、このような工場管理システムは、自動ワインダ１が設けられている工場とは異なる別の場所に配置されることが多い。設定値の入力（設定値情報の更新作業）は、工場に配置された自動ワインダ１の状況を把握しない状態で行われることを防止するため、敢えて上述したような工場管理システムで入力できない仕様とすることが多い。上記実施形態の自動ワインダ１及び自動ワインダシステム９０では、このような仕様を求められる場合に特に効果が大きい。
【００９１】
以上、本発明の一実施形態について説明したが、本発明は上記実施形態に限定されず、発明の趣旨を逸脱しない範囲で種々の変更が可能である。
【００９２】
＜変形例１＞
変形例１に係る自動ワインダ１及び自動ワインダシステム９０と上記実施形態に係る自動ワインダ１及び自動ワインダシステム９０とは、他の自動ワインダ１から送信されてきた設定値を直ちに記憶部５７に記憶させるのではなく、作業者の確認作業を経ないと上記設定値が記憶されない点で互いに異なっている。以下、この異なっている点について、図９及び図１０を用いて具体的に説明する。
【００９３】
まず、設定値情報が入力される一の自動ワインダ１（送信側の自動ワインダ１）から説明する。図９に示すステップＳ３１〜ステップＳ３４までの工程は、上記実施形態のステップＳ１１〜ステップＳ１４までの工程と同じであるので説明を省略する。
【００９４】
設定管理部５３Ａは、入力された設定値を他の自動ワインダ１に送信する場合、送信先の自動ワインダ１において設定値を反映させるか否かという反映可否の確認が必要な確認情報として送信するか否かをタッチパネルディスプレイ５１から受け付け、確認情報として送信するか否かに基づいて送信する情報を変更する（ステップＳ３５）。例えば、送信先の自動ワインダ１の状況を見ながら反映させたい場合には、作業者は、確認情報として送信するような入力をすればよい。
【００９５】
確認情報として送信することが決定された場合（ステップＳ３５：ＹＥＳ）、設定管理部５３Ａは、単に設定値を他の自動ワインダ１に送信するのではなく、他の自動ワインダ１が備える設定管理部５３Ａに対し、設定値を巻取ユニット１０の設定に反映するか否かを、作業者に選択させるインタフェイスをタッチパネルディスプレイ５１に表示させるための制御情報を付加して送信する（ステップＳ３６）。
【００９６】
一方、確認情報として送信しないことが決定された場合（ステップＳ３５：ＮＯ）、設定管理部５３Ａは、設定値のみを他の自動ワインダ１に送信する。図９に示すステップＳ３７の工程は、上記実施形態のステップＳ１６の工程と同じであるので説明を省略する。なお、設定管理部５３Ａは、受信先の設定管理部５３Ａが確認情報として送信されたのか、非確認情報として送信されたのかが区別できるような情報として送信できればよく、上記制御情報を付加するかしないかに限定されない。
【００９７】
次に、一の自動ワインダ１から送信されてきた設定値を受信する他の自動ワインダ１（受信側の自動ワインダ１）について図１０を用いて説明する。図１０に示すステップＳ４１〜ステップＳ４３までの工程は、上記実施形態のステップＳ２１〜ステップＳ２３までの工程と同じであるので説明を省略する。
【００９８】
受信した設定値が機台内に送信すべきでない設定値であると判定された場合（ステップＳ４３：ＮＯ）、一連の処理を終了する。受信した設定値が機台内に送信すべき設定値であると判定された場合（ステップＳ４３：ＹＥＳ）、設定管理部５３Ａは、当該設定値に上記制御情報が付加されているか否かを判定する（ステップＳ４４）。
【００９９】
ここで、上記制御情報が付加されていた場合には（ステップＳ４４：ＹＥＳ）、設定管理部５３Ａは、設定値を反映するか否かを問うインタフェイスをタッチパネルディスプレイ５１に表示する（ステップＳ４５）。このとき、どの自動ワインダ１から受信した設定値に基づく変更の確認をしているかというメッセージを表示してもよい。ここで、インタフェイスを介して作業者が反映する旨の情報を入力した場合には、ユニットコントローラ１９に当該設定値を送信するように機台内通信部５３Ｂを制御する。これにより、ユニットコントローラ１９の記憶部に記憶されている設定値情報が更新される。インタフェイスを介して作業者が反映を保留する旨の情報を入力した場合には、タッチパネルディスプレイ５１に反映を保留している旨のメッセージを表示した状態で、一連の処理を終了する。
【０１００】
一方、上記制御情報が付加されていなかった場合には（ステップＳ４４：ＮＯ）、ユニットコントローラ１９に当該設定値を送信するように機台内通信部５３Ｂを制御する。これにより、ユニットコントローラ１９の記憶部に記憶されている設定値情報が更新される（ステップＳ４６）。そして、一連の更新処理が終了する。
【０１０１】
上記変形例１に係る自動ワインダ１及び自動ワインダシステム９０によれば、一の自動ワインダ１において入力された設定値を繊維処理ユニットの設定に反映させるか否かを、確認して決定できる機会を設けることができる。
【０１０２】
上記変形例１では、作業者に対し、「送信されてきた設定値を巻取ユニット１０の設定に反映させるか否かを選択させる」例を挙げて説明したが、本発明はこれに限定されない。例えば、作業者に対し、「送信されてきた設定値を記憶部に反映させるか否かを選択させる」構成としてもよい。
【０１０３】
上記変形例１では、入力された設定値を他の自動ワインダ１に送信する場合、確認情報として送信するか否かをタッチパネルディスプレイ５１から受け付け、確認情報として送信するか否かに基づいて送信する情報を変更する（ステップＳ３５）例を挙げて説明したが、本発明はこれに限定されない。例えば、送信する全ての設定値を確認情報として送信するようにしてもよい。
【０１０４】
上記変形例１では、ステップＳ４４において反映保留メッセージを表示する際、設定管理部５３Ａが機台内通信部５３Ｂを制御してユニットコントローラ１９へ設定値が送信されることを止めているが、ユニットコントローラ１９への送信は許可して、ユニットコントローラ１９側で、設定値の反映を保留するような制御としてもよい。
【０１０５】
＜変形例２＞
上記実施形態では、図７に示すように、設定管理部５３Ａは、機台間通信部５３Ｃを介して設定値を受信する（ステップＳ２１）と、受信した設定値に基づいて、記憶部５７に記憶された設定値情報を更新する（ステップＳ２２）例を挙げて説明したが、以下のように変形が可能である。すなわち、他の自動ワインダ１から設定値が送信されてきた場合には、設定管理部５３Ａは必ず、設定値を反映するか否かを問うインタフェイスをタッチパネルディスプレイ５１に表示させるようにしてもよい。そして、設定管理部５３Ａは、タッチパネルディスプレイ５１において反映する旨の入力がなされた場合にのみ、設定値を記憶部５７に記憶させてもよい。
【０１０６】
また、上記変形例１では、制御情報が付加されていた場合にのみ（ステップＳ４４：ＹＥＳ）、設定管理部５３Ａが、設定値を反映するか否かを問うインタフェイスをタッチパネルディスプレイ５１に表示させる（ステップＳ４５）例を挙げて説明したが、以下のように変形が可能である。すなわち、設定管理部５３Ａは、機台間通信部５３Ｃを介して設定値を受信した場合には、上記制御情報が付加されていた場合であっても、付加されていない場合であっても、設定管理部５３Ａは必ず、設定値を反映するか否かを問うインタフェイスをタッチパネルディスプレイ５１に表示させるようにしてもよい。そして、設定管理部５３Ａは、タッチパネルディスプレイ５１において反映する旨の入力がなされた場合にのみ、設定値を記憶部５７に記憶させてもよい。
【０１０７】
このような変形例２に係る構成の自動ワインダ１及び自動ワインダシステム９０によれば、他の自動ワインダ１から設定値を受信した場合には、タッチパネルディスプレイ５１において設定値を反映させる旨の入力がなされるまで、設定値を記憶部５７に記憶させることが確実に保留される。これにより、作業者が自動ワインダ１の状況を確認した上で設定値の変更がなされるようになる。
【０１０８】
＜変形例３＞
変形例３に係る自動ワインダ１及び自動ワインダシステム９０と上記実施形態に係る自動ワインダ１及び自動ワインダシステム９０とは、設定値を他の繊維機械に送信する際に、設定値が入力された時間に関する情報を付加して送信する点で互いに異なっている。
【０１０９】
設定管理部５３Ａ（機台制御部）は、入力された設定値と当該設定値が入力された時間に関する情報とを他の自動ワインダ（繊維機械）１に送信するように機台間通信部５３Ｃを制御する。設定管理部５３Ａは、電源投入時（電源復旧時も含む）に、他の自動ワインダ１（ＮＯ．１，２，４〜６）の記憶部５７に記憶されている最終同期時刻を確認する。設定管理部５３Ａは、自機の記憶部５７に記憶された最終同期時刻よりも新しい最終同期時刻を記憶する他の自動ワインダ１があれば、当該自動ワインダ１における設定値を取得して、記憶部５７に記憶されている設定値を更新する。以下、この異なっている点について、主に図１１及び図１２を用いて説明する。
【０１１０】
図１１（Ａ）に示すように、一の自動ワインダ１（ＮＯ．１）に設定値が入力された場合、当該一の自動ワインダ１は、他の自動ワインダ１（ＮＯ．２〜６）に設定値を送信すると共に、設定値が入力された時刻を送信する。他の自動ワインダ１（ＮＯ．２〜６）は、当該設定値及び時刻を受信すると、当該設定値に基づいて記憶部５７に記憶された設定値を更新すると共に、当該時刻を最終同期時刻として記憶部５７に記憶する。これにより、複数の自動ワインダ１（ＮＯ．１〜６）において、設定値の同期が図られる。
【０１１１】
ところが、図１１（Ｂ）に示すように、一の自動ワインダ１（ＮＯ．１）が、他の自動ワインダ１（ＮＯ．２〜６）に設定値及び時刻を送信する際に、電源が投入されていない自動ワインダ１（ここでは、ＮＯ．３）が存在すると、複数の自動ワインダ１（ＮＯ．１〜６）において、設定値の同期を図ることができない。
【０１１２】
変形例３に係る自動ワインダ１は、電源投入時（電源復旧時）に、他の自動ワインダ１に記憶されている最終同期時刻を確認する。図１２（Ａ）に示すように、例えば、自動ワインダ１（ＮＯ．３）は、電源投入時（電源復旧時）に、他の自動ワインダ１（ＮＯ．１，２，４〜６）に記憶されている最終同期時刻を確認する。そして、自機の記憶部５７に記憶された最終同期時刻よりも新しい最終同期時刻を記憶する自動ワインダ１があれば、当該自動ワインダ１における設定値を取得して、記憶部５７に記憶されている設定値を更新する。これにより、図１２（Ｂ）に示すように、複数の自動ワインダ１（ＮＯ．１〜６）において、設定値の同期が図られる。
【０１１３】
なお、一の自動ワインダ１において、設定値を受信したにもかかわらず記憶部５７における設定値を更新していない（保留）場合があり得る。この場合であっても、設定値と同時に送信されてくる時刻を最終同期時刻として記憶しておく。受信した設定値を反映せずに保留しているという状態が、他の自動ワインダ１から区別できれば、このような状態の自動ワインダ１の設定値を取得しないような仕様とすればよい。
【０１１４】
＜その他の変形例＞
上記実施形態及び変形例では、繊維機械として自動ワインダ１を例に挙げて説明したが、本発明はこれに限定されない。本発明は、例えば、粗紡機、精紡機、織機、編み機、紡糸巻取機、延伸仮撚機及び空気式紡績機などの繊維機械を適用することもできる。
【０１１５】
上記実施形態及び変形例では、一つの巻取ユニット１０に対して一つのユニットコントローラ１９が配置されている例を挙げて説明したが、本発明はこれに限定されない。例えば、複数の巻取ユニット１０に対して一つのユニットコントローラ１９が配置される構成であってもよい。
【０１１６】
上記実施形態及び変形例において、同時に複数の自動ワインダ１からログインがされた場合には、例えば、識別番号が一番小さい自動ワインダ１のログインのみを有効にするなど、所定のルールを定めておいてもよい。これにより、自動ワインダシステム９０を構成する全ての自動ワインダ１が設定値の入力が可能となってしまう状態を回避することができる。
【０１１７】
上記実施形態及び変形例では、設定管理部５２Ａから各ユニットコントローラ１９に設定値が送信された時点で、ユニットコントローラ１９の記憶部に記憶される設定値が更新される例を挙げて説明したが、本発明はこれに限定されない。例えば、ユニットコントローラ１９が、ユニットコントローラ１９の記憶部に記憶された設定値の更新を保留するようにしてもよい。すなわち、ユニットコントローラ１９側で設定値の更新のタイミングが調整されるようにしてもよい。
【０１１８】
上記実施形態及び変形例では、管理装置５０からユニットコントローラ１９への設定値を送信する際のタイミングについて言及しなかったが、例えば、繊維処理ユニット（巻取ユニット１０，玉揚装置３０，給糸ボビン供給装置４０）が稼働していないタイミングに送信するようにしてもよい。この場合、例えば、定期的又は常時、繊維処理ユニット（巻取ユニット１０，玉揚装置３０，給糸ボビン供給装置４０）の稼働状態を監視する監視部を設ければよい。設定管理部５３Ａは、監視部から送信されてくる稼働状態に関する情報に基づいて、繊維処理ユニットが稼働していないタイミングで設定値を送信するように機台内通信部５３Ｂを制御してもよい。これにより、繊維処理ユニットの稼働状態に応じて、適切なタイミングで設定値を制御することが可能となる。また、設定管理部５３Ａは、設定値を送ろうとするタイミングで、監視部に繊維処理ユニットの稼働状態を取得させる仕様であってもよい。
【０１１９】
上記実施形態及び変形例では、管理装置５０からユニットコントローラ１９への設定値の送信を主に例に挙げて説明したが、管理装置５０から玉揚制御コントローラ３１及び管理装置５０から供給制御コントローラ４１への設定値の送信についても同様である。
【符号の説明】
【０１２０】
１…自動ワインダ（繊維機械）、１０…巻取ユニット（繊維処理ユニット）、１９…ユニットコントローラ、３０…玉揚装置（繊維処理ユニット）、３１…玉揚制御コントローラ、４０…給糸ボビン供給装置（繊維処理ユニット）、４１…供給制御コントローラ、５０…管理装置、５１…タッチパネルディスプレイ（入力部，第１報知部，第２報知部）、５３…機台コントローラ、５３Ａ…設定管理部（機台制御部）、５３Ｂ…機台内通信部、５３Ｃ…機台間通信部、５５…本体コントローラ、５７…記憶部、９０…自動ワインダシステム（繊維機械システム）。
【図１】
2016011468.tif 000003
【図２】
2016011468.tif 000004
【図３】
2016011468.tif 000005
【図４】
2016011468.tif 000006
【図５】
2016011468.tif 000007
【図６】
2016011468.tif 000008
【図７】
2016011468.tif 000009
【図８】
2016011468.tif 000010
【図９】
2016011468.tif 000011
【図１０】
2016011468.tif 000012
【図１１】
2016011468.tif 000013
【図１２】
2016011468.tif 000014